【事件の表示】
　特願２０００−　２５６５０「断層映像撮影装置及び方法」拒絶査定不服審判事件〔平成１２年　８月２２日出願公開、特開２０００−２３０９１１〕について、次のとおり審決する。
【結　論】
　本件審判の請求は、成り立たない。
【理　由】
１．手続の経緯・本願発明
　本願は、平成１２年２月２日（パリ条約による優先権主張１９９９年２月２日、大韓民国）の出願であって、平成１４年３月１５日付け（発送日平成１４年３月１９日）で拒絶査定がなされ、これに対し、平成１４年６月１７日に審判請求がなされたものであり、その請求項１−７に係る発明は、平成１４年７月１６日付けの手続補正書によって補正された明細書および図面の記載からみて、特許請求の範囲の請求項１−７に記載されたとおりのものであり、請求項１（実質的に補正前の請求項５に相当する）に係る発明（以下、「本願発明」という）は次のものである。
　「【請求項１】 被検査物が搭載される搭載テーブルと、一平面上の多様な位置で前記搭載テーブルに搭載された被検査物に対して放射線を照射する放射線照射器と、前記被検査物を透過した複数の放射線部分映像を電気的な映像信号として得て出力する平面放射線検出器と、前記平面放射線検出器により得られた複数の部分映像を合成処理して被検査物の断層映像を得る映像処理部とを含み、前記搭載テーブルの直下方に他の平面放射線検出器がさらに設けられたことを特徴とする断層映像撮影装置。」
　
２．引用刊行物記載の発明
　これに対して原査定の拒絶理由で補正前の請求項５に対して示された刊行物は次のものである。
　
刊行物：米国特許第５５９４７７０号明細書（１９９７年）（以下、「刊行　　　　物」という）
　
　刊行物には（以下、日本語訳）、
　「ある応用では、印刷回路の検査のようなものでは、関心領域は、検査される対象物の特定の内部の平面または表面に横たわっている。」（第１欄第１４−１７行）、
　「テスト対象物の特定の内部のまたは表面に含む関心領域の面からの診断情報を提供することが可能である自動検査手段が例えば、べーカーその他によるものとして米国特許第５０９７４９２号明細書で刊行されている。……。Ｘ線ディテクタは、電子ビームの曲げと同期して回転され、テスト対象物の関心領域を透過したＸ線を遮る。検査手段は断層放射線像（laminographic 
cross-sectional image）を生じる。」（第１欄第２４−３５行）、
　「Ｘ線源２は、テスト対象物１４を貫通するのに十分なエネルギーをもつＸ線ビーム２４を生成する。……Ｘ線源２は、好ましくはマイクロフォーカスされたＸ線源であって、カソード４から放出された電子ビームは曲げられ、電子ビームは陽極ターゲット８上にある、予め決められていて互いに離れた位置にある各焦点スポット位置３６を打つようになっている。」（第３欄第６−１３行）、
　「テスト対象物１４がＸ−Ｙテーブル１８に載置されると、テスト対象物１４は、半田接合部といった関心領域が像となるようにＸＹ方向に沿って動かされる。」（第３欄第５４−５７行）、
　「第１ｂ図に、好ましい光学システムが示されている。光学システムは、コンピュータ制御されたビューセレクタ３１を含み、それによりシステムの解像度を向上させる。イメージ収集中に、ビューセレクタ３１は、前もって定義した位置３６へのＸ線の焦点のスポットの移動と同期され、イメージインテンシファイア２６のスクリーンから選ばれた可視像部分をカメラに提供する。カメラは典型的には５１２×５１２ピクセルのビデオイメージを提供することが可能である。」（第４欄第５８−６６行）、
　「ミラー３３と３５はコンピュータ３８によって制御され、ミラーから反射された像はカメラ３４に受け取られる。」（第５欄第９−１１行）、
　「別途の態様として、大きなフォーマットのイメージインテンシファイア２８が、多数の小フォーマッのイメージインテンシファイアに置き換えられる。第１ｃ、１ｄ図では、小さな９つのフォーマットのイメージインテンシファイアの配列が図示され、カメラ３４が多数の小フォーマットのイメージインテンシファイアの各々に使われており、この場合は、回転ミラー３３，３５を含むビューセレクタ３１は不必要である。」（第５欄第２７−３３行）、
　「ＣＣＤカメラ３４のアナログ出力は画像処理／欠陥検知システム３８に提供され、該システム３８はビデオモニター４１のようなディスプレイ上に像を作成（formulate a image）するために像情報を処理する（purocesses 
the image  information）」（第６欄第１−4行）、
　「予め決められた位置３６に応じて、放射されたＸ線ビームは対象物１４に向かって、予め定められた傾き角θで向けられ、その角は上記したように直交成分θｘ、θｙで記述されるものである。したがって、各予め決められた位置３６毎に、スクリーン２６にソース（source）イメージが形成される。」（第６欄第５２−５９行）、
　「前記したように、米国特許第５０９７４９２号明細書は、Ｘ線源においてターゲット陽極の上を連続的円形パターンで走査するように曲げられる電子ビームを示している。検知装置もまた円形パターンで回転する。米国特許第５０２００８６号明細書は、電子ビームをステップ的にセンター軸のまわりに走査することで、一連の像が得られる像システムが記載されている。一連のイメージは、関心領域の画像（representation）を形成するために結合（combine）される。関心領域をはっきりわからなくさせるボディ（body or      bodies obscuring the region of  interest）の幾何学的知識がなくても、円形走査パターンは、許容できる関心領域の画像を提供するようになっている。今回発明の場合は、しかし、はっきりしないボディに関する幾何学的情報はより改良された関心領域の画像のために用いられる。」（第６欄第５９行−第７欄第６行）、
　「今回発明は、……、再構成された像を形成するための装置や方法と接続して使用する構想を描くことができることは明らかである。」（第１１欄第１０−１３行）、
　「我々はクレームする：１．……、予め決められた各位置から放射されテスト対象物を透過したＸ線を受ける位置に配置された検出器であって、予め決められた前記各位置ごとに対応して、像を作成する検出器と、像システムであって、それら像を結合して(combine the images)、前記関心領域のはっきりした像（an unobscured image）を作成するためのもの」（第１１欄第２８−４７行）、
　「２．クレーム１の装置であって、前記関心領域が平面であるもの」（第１１欄第４８−４９行）、
　が記載され、
　第１ａ、１ｂ、１ｃ図から、アノード８が平面状であって、アノードに各位置３６があり、それら各位置か３６から、Ｘ線ビーム２４が出射することが明らかであり、
　第１ｃ、１ｄ図をみると、円形状に８個、その中央に１個のイメージインテンシファイア２８が設けられ、各イメージインテンシファイア２８毎に、カメラ３４が設けられていることが明らかである。
　
３．対比・検討
　本願発明と、刊行物に記載された発明［すなわち「予め決められた各位置から放射されテスト対象物を透過したＸ線を受ける位置に配置された検出器であって、予め決められた前記各位置ごとに対応して、像を作成する検出器と、像システムであって、それら像を結合して(combine the images)、前記関心領域のはっきりした像（an unobscured image）を作成するためのもの」（刊行物のクレーム１の記載参照）であって、第１ｃ、１ｄ図に示された検出器配列を有し、第１ａ、１ｂ、１ｃ図に示されたように、アノード８が平面状であって、アノード８に各位置３６があり、それら各位置３６から、Ｘ線ビーム２４が出射するようになっている、発明］を対比すると、
　「テスト対象物１４」、「Ｘ−Ｙテーブル１８」が、本願発明における「被検査物」、「搭載テーブル」に相当し、
　刊行物に記載のＸ線源２は、Ｘ線が出射される各位置３６を有しており、それら各位置３６は円形状に離散配置されていて、Ｘ線出射位置が各位置３６を移動するものであることが明らかであるから「対象物１４にＸ線ビーム２４を照射するＸ線源２」がそれぞれ、本願発明における「一平面上の多様な位置で被検査物に対して放射線を照射する放射線照射器」に相当し、
　刊行物の第１ｃ、１ｄ図において、「テスト対象物１４を透過した複数の放射線部分映像を電気信号として出力する検知器であって、円周上に離散して配置されてなり、イメージングインテンシファイア２８とビデオ出力をするカメラ３４からなる検出器（計８個の検出器）」が、本願発明における「被検査物を透過した複数の放射線部分映像を電気的な映像信号として出力する放射線検出器」に相当し、
　刊行物の第１ｃ、１ｄ図における「円周上配置のイメージインテンシファイア２８（計８個）の中央に配置された、イメージインテンシファイア２８とカメラ３４とからなる検出器（計１個の検出器）」が、本願発明における「搭載テーブルの直下方に設けられた他の放射線検出器」に相当し、
　また、刊行物では、円周のまわりを放射線源を移動させ、対象物を順次照射して対象物の部分画像を放射線検出器により取得し、それら部分画像を結合して関心領域の断層放射線画像を得る技術を記載している（米国特許第５０９７４９２号明細書および、米国特許第５０２００８６号明細書を用いて記載している）から、刊行物に記載の「像システムであって、それら像を結合して(combine the images)、前記関心領域のはっきりした像（an            unobscured image）を作成する」というのは、円周のまわりを放射線源を移動させ、対象物を順次照射して対象物の部分画像を放射線検出器により取得し、それら部分画像を結合して関心領域の断層放射線画像を作成することを含むものと解釈され、したがって、刊行物における「画像処理／欠陥検知システム３８」が、本願発明における「複数の部分映像を合成処理して被検査物の断層映像を得る映像処理部」に相当するから、
　両者は、
　「被検査物が搭載される搭載テーブルと、一平面上の多様な位置で前記搭載テーブルに搭載された被検査物に対して放射線を照射する放射線照射器と、前記被検査物を透過した複数の放射線部分映像を電気的な映像信号として得て出力する放射線検出器と、前記放射線検出器により得られた複数の部分映像を合成処理して被検査物の断層映像を得る映像処理部とを含み、前記搭載テーブルの直下方に他の放射線検出器がさらに設けられたことを特徴とする断層映像撮影装置。」
　である点で一致し、次の点で相違する。
　
　相違点
　本願発明は、放射線検出器が平面放射線検出器であるのに対し、刊行物に記載の発明は、放射線検出器が、イメージインテンシファイア２８とカメラ３４からなるものである点。
　
　前記相違点について検討すると、
　放射線検出器の技術分野において、放射線映像を電気的な映像信号として出力する平面放射線検出器は、従来周知である［例として、特開平１０−２７５９０６号公報の明細書の「【０００１】【発明の属する技術分野】本発明は、例えば、食品やプリント基板等の非破壊検査装置、医用Ｘ線撮像装置等に用いられる２次元Ｘ線センサアレイ、あるいは文書、画像等の読み取り装置（イメージスキャナ）等に用いられる２次元光センサアレイなど、１枚の基板上にデータ線とゲート線がマトリクス状に配置されたフラット・パネル形センサに関する。」、「【０００３】……直接Ｘ線を胸部サイズ程度のフラット・パネルで電気信号に変換する方式が研究の主流になっている。」という記載、および、特開平１０−２２１４５６号公報の明細書の「【０００４】……１次元ないし２次元のマトリックス配列で形成されたＴＦＴ（薄膜トランジスタ）アレイの上に、Ｘ線を電気信号に直接に変換できるアモルファスＳｅ（ａ−Ｓｅ）膜を積層形成した放射線検出器である。」という記載および、国際公開第９８／２９９０４号パンフレット（１９９８年）の図１に、Ｘ線を直接検出する平面型の撮像装置１６（画素検知器１９のアレーと、読み出し回路２０のアレーを備えている）が記載されており、該撮像装置がコンピュータ断層撮影に用いることができることも記載されている。］から、刊行物に記載の発明において、被検査物を透過した複数の放射線部分映像を電気的な映像信号として得て出力する放射線検出器として、平面放射線検出器を採用することは、当業者が容易に想到できたものである。
　そして、被検査物を透過した複数の放射線部分映像を電気的な映像信号として得て出力する放射線検出器として、平面放射線検出器を採用したことの効果も当業者の予想範囲内である。
　
４．むすび
　以上のとおりであるから、本願請求項１に係る発明は、上記刊行物に記載された発明および従来周知技術に基づいて当業者が容易に発明をすることができたものであり、その余の請求項について検討するまでもなく、本願は、特許法第２９条第２項の規定により特許を受けることができない。
　よって、結論のとおり審決する。